(57)【要約】【課題】データサイズが大きいデータでも、中断することなくデータを配信することができる情報配信装置を提供すること。【解決手段】データを入力するデータ入力部１１と、プログラムを実行し、所定の処理を行うＣＰＵ１２と、プログラムを記憶するプログラム記憶メモリ１３と、データを一時保存する作業用メモリ１４と、データを記憶する磁気記憶装置１５と、磁気記憶装置１５の動作を管理する磁気記憶装置管理部１６と、データを配信するデータ配信部１７とを備える構成とすることにより、中断することなくデータを配信できるようにした。【選択図】          図１
2004303348.tif 000002
【特許請求の範囲】
【請求項１】
入力されたデータのデータサイズに応じて前記データを記憶する記憶媒体の記憶位置を設定する記憶位置設定手段を備えたことを特徴とする記憶装置。
【請求項２】
前記記憶位置設定手段は、入力された前記データの種類に応じて前記記憶位置を設定するようにしたことを特徴とする請求項１に記載の記憶装置。
【請求項３】
前記記憶位置設定手段は、ディスク状の記憶媒体において前記記憶位置を設定する際、データサイズの閾値を越えたデータを所定のトラックよりも外周側のトラックに記憶するよう前記記憶位置を設定するようにしたことを特徴とする請求項１に記載の記憶装置。
【請求項４】
前記記憶位置設定手段は、ディスク状の記憶媒体において前記記憶位置を設定する際、入力された画像データを所定のトラックよりも外周側のトラックに記憶するよう前記記憶位置を設定するようにしたことを特徴とする請求項２に記載の記憶装置。
【請求項５】
前記記憶位置設定手段は、入力された前記データの前記種類を前記データが含まれるファイルの拡張子によって判別するようにしたことを特徴とする請求項２または請求項４に記載の記憶装置。
【請求項６】
前記記憶位置設定手段は、前記データの管理情報を入力された前記データが記憶される前記記憶トラックよりも外側のトラックに記憶するよう前記記憶位置を設定するようにしたことを特徴とする請求項３から請求項５までの何れかに記載の記憶装置。
【請求項７】
記憶媒体の記憶領域を複数の記憶領域に分割する記憶領域分割手段を備え、前記記憶位置設定手段は、ディスク状の記憶媒体において前記記憶位置を設定する際、データサイズの閾値を越えたデータを所定の記憶領域よりも外周側の前記記憶領域に記憶するよう前記記憶位置を設定するようにしたことを特徴とする請求項１に記載の記憶装置。
【請求項８】
前記記憶位置設定手段は、入力された前記データの種類に応じて前記記憶領域を選択し、選択した前記記憶領域内で前記記憶位置を設定するようにしたことを特徴とする請求項７に記載の記憶装置。
【請求項９】
前記記憶位置設定手段は、入力された画像データを所定の記憶領域よりも外周側の前記記憶領域内で前記記憶位置を設定するようにしたことを特徴とする請求項８に記載の記憶装置。
【請求項１０】
分割された複数の前記記憶領域の記憶容量を変更する記憶容量変更手段を備えたことを特徴とする請求項７から請求項９までの何れかに記載の記憶装置。
【請求項１１】
データを記憶する記憶装置と、請求項１から請求項１０までの何れかに記載された記憶位置設定手段と、前記記憶装置に記憶するデータを入力するデータ入力手段と、前記記憶装置に記憶されたデータを読み出すデータ読出手段と、前記データ読出手段によって読み出されたデータを配信するデータ配信手段とを備えたことを特徴とする情報配信装置。
【請求項１２】
請求項１１に記載の情報配信装置と、データのデータサイズおよび種類の少なくとも一方に基づき、前記データを識別して前記情報配信装置に送信する送信装置とを備えたことを特徴とする情報配信システム。
【請求項１３】
入力されたデータのデータサイズが閾値以上か否かを判断し、前記データサイズが閾値以上のとき、記憶媒体の所定の記憶位置よりも外周側に前記データを記憶し、前記データサイズが閾値未満のとき、前記記憶媒体の所定の記憶位置よりも内周側に前記データを記憶する記憶方法。
【発明の詳細な説明】
【０００１】
【発明の属する技術分野】
本発明は、記憶装置および情報配信装置に関し、さらに詳しくは、情報管理センタから受信した情報を記憶する記憶装置を備え、記憶した情報を配信する情報配信装置に関する。
【０００２】
【従来の技術】
従来、この種の情報配信装置としては、図９に示すようなものが知られている。図９に示された従来の情報配信装置１は、第１のデータストリームおよび第２のデータストリームが多重化されたデータストリームを受信するデータストリーム受信部２と、受信したデータストリームを第１のデータストリームおよび第２のデータストリームに分離するデータストリーム分離部３と、第１のデータストリームを記録するユーザ記録部４と、第２のデータストリームを記録するプロバイダ記録部５と、第１のデータストリームを再生する第１のデータストリーム再生部６と、受信すべき第１のデータストリームをプロバイダ記録部５に全て記録した後に第１のデータストリームを再生するよう第１のデータストリーム再生部６を制御する第１のデータストリーム再生制御部７とを備えている。
【０００３】
なお、第１のデータストリームおよび第２のデータストリームは、それぞれ、インターネットプロバイダからダウンロードされたコンテンツのデータおよびテレビ放送のデータである。また、ユーザ記録部４およびプロバイダ記録部５は、それぞれ、ハードディスクドライブ（以下、単にＨＤＤという。）によって構成されている。
【０００４】
従来の情報配信装置１は、インターネットプロバイダからダウンロードされたコンテンツのデータおよびテレビ放送のデータをデータストリーム分離部３によって分離し、コンテンツのデータをＨＤＤのディスクに全て記録した後、第１のデータストリーム再生部６によってコンテンツのデータを再生することにより、利用者は、所望するコンテンツを迅速に視聴できるようになっている（例えば、特許文献１参照）。
【０００５】
【特許文献１】
特開２００１−２９８６８７号公報（第６頁、第１図）
【０００６】
【発明が解決しようとする課題】
しかしながら、このような従来の情報配信装置では、インターネットプロバイダからダウンロードされたコンテンツのデータをＨＤＤのディスクに全て記憶した後、コンテンツのデータを再生するので、インターネットプロバイダからダウンロードするコンテンツのデータサイズが大きいとき、または、コンテンツのデータをダウンロードする回線が混雑しているとき等の場合には、コンテンツのデータをダウンロードするのに多大な時間を要し、コンテンツのデータの記憶が終了するまでコンテンツのデータを再生できないという問題があった。
【０００７】
したがって、コンテンツのデータをダウンロードしながらＨＤＤのディスクに記憶すると同時に、記憶されたコンテンツのデータを再生することはできないので、所定のコンテンツを、例えば、配信スケジュールに沿って視聴者に視聴させることはできないという問題があった。
【０００８】
また、従来の情報配信装置は、コンテンツのデータをＨＤＤのディスクに記憶するので、ＨＤＤのデータ記憶時の特質により、コンテンツのデータは、図１０に太線で示すようにＨＤＤのディスク面８に分散して記憶され、データサイズの大きいコンテンツを再生する場合は、ディスク面８に分散して記憶されたデータを読み取る磁気ヘッドのデータアクセス時間が大きくなり、再生部へのコンテンツのデータの供給が遅れることによってコンテンツの再生が中断するという問題があった。
【０００９】
本発明は、このような問題を解決するためになされたものであり、データをダウンロードしながら記憶すると同時に、記憶されたデータを読み出すことができ、しかも、データサイズが大きいデータでも、中断することなくデータを配信することができる情報配信装置を提供するものである。
【００１０】
【課題を解決するための手段】
本発明の記憶装置は、入力されたデータのデータサイズに応じて前記データを記憶する記憶媒体の記憶位置を設定する記憶位置設定手段を備えたことを特徴とする構成を有している。
【００１１】
この構成により、記憶位置設定手段は、入力されたデータのデータサイズに応じてデータを記憶する記憶媒体の記憶位置を設定するので、データサイズが大きいデータは、高速で読み出せる記憶位置に記憶させ、データサイズが小さいデータは、高速で読み出せる記憶位置以外の記憶位置に記憶させることにより、データをダウンロードしながら記憶すると同時に、記憶されたデータを読み出すことができ、しかも、データサイズが大きいデータでも、中断することなくデータを配信することができる。
【００１２】
また、本発明の記憶装置は、前記記憶位置設定手段は、入力された前記データの種類に応じて前記記憶位置を設定するようにしたことを特徴とする構成を有している。
【００１３】
この構成により、記憶位置設定手段は、入力されたデータの種類に応じてデータを記憶する記憶媒体の記憶位置を設定するので、例えば、動画像データは、高速で読み出せる記憶位置に記憶させ、テキストデータは、高速で読み出せる記憶位置以外の記憶位置に記憶させることにより、データをダウンロードしながら記憶すると同時に、記憶されたデータを読み出すことができ、しかも、データサイズが大きい動画像データでも、中断することなくデータを配信することができる。
【００１４】
また、本発明の記憶装置は、前記記憶位置設定手段は、ディスク状の記憶媒体において前記記憶位置を設定する際、データサイズの閾値を越えたデータを所定のトラックよりも外周側のトラックに記憶するよう前記記憶位置を設定するようにしたことを特徴とする構成を有している。
【００１５】
この構成により、記憶位置設定手段は、データサイズの閾値を越えたデータを所定のトラックよりも外周側のトラックに記憶するよう記憶位置を設定するので、データサイズが閾値よりも大きいデータは、外周側のトラックに記憶させ、データサイズが閾値よりも小さいデータは、内周側のトラックに記憶させることにより、データをダウンロードしながら記憶すると同時に、記憶されたデータを読み出すことができ、しかも、データサイズが大きいデータでも、中断することなくデータを配信することができる。
【００１６】
また、本発明の記憶装置は、前記記憶位置設定手段は、ディスク状の記憶媒体において前記記憶位置を設定する際、入力された画像データを所定のトラックよりも外周側のトラックに記憶するよう前記記憶位置を設定するようにしたことを特徴とする構成を有している。
【００１７】
この構成により、入力された画像データを所定のトラックよりも外周側のトラックに記憶するよう記憶位置を設定するので、例えば、動画像データおよび静止画像データ等は、外周側のトラックに記憶させ、画像データ以外のデータは、内周側のトラックに記憶させることにより、データをダウンロードしながら記憶すると同時に、記憶されたデータを読み出すことができ、しかも、データサイズが大きいデータでも、中断することなくデータを配信することができる。
【００１８】
また、本発明の記憶装置は、前記記憶位置設定手段は、入力された前記データの前記種類を前記データが含まれるファイルの拡張子によって判別するようにしたことを特徴とする構成を有している。
【００１９】
この構成により、記憶位置設定手段は、データの種類を容易に判別することができる。
【００２０】
また、本発明の記憶装置は、前記記憶位置設定手段は、前記データの管理情報を入力された前記データが記憶される前記記憶トラックよりも外側のトラックに記憶するよう前記記憶位置を設定するようにしたことを特徴とする構成を有している。
【００２１】
この構成により、記憶位置設定手段は、データの管理情報を入力されたデータが記憶される記憶トラックよりも外側のトラックに記憶するよう記憶位置を設定するので、データの管理情報に短時間でアクセスすることができる。
【００２２】
また、本発明の記憶装置は、記憶媒体の記憶領域を複数の記憶領域に分割する記憶領域分割手段を備え、前記記憶位置設定手段は、ディスク状の記憶媒体において前記記憶位置を設定する際、データサイズの閾値を越えたデータを所定の記憶領域よりも外周側の前記記憶領域に記憶するよう前記記憶位置を設定するようにしたことを特徴とする構成を有している。
【００２３】
この構成により、記憶位置設定手段は、データサイズの閾値を越えたデータを所定の記憶領域よりも外周側の記憶領域に記憶するよう記憶位置を設定するので、データサイズが閾値よりも大きいデータを外周側の記憶領域に記憶させることにより、データをダウンロードしながら記憶すると同時に、記憶されたデータを読み出すことができ、しかも、データサイズが大きいデータでも、中断することなくデータを配信することができる。
【００２４】
また、本発明の記憶装置は、前記記憶位置設定手段は、入力された前記データの種類に応じて前記記憶領域を選択し、選択した前記記憶領域内で前記記憶位置を設定するようにしたことを特徴とする構成を有している。
【００２５】
この構成により、記憶位置設定手段は、入力されたデータの種類に応じて記憶領域を選択し、選択した記憶領域内で記憶位置を設定するので、例えば、動画像データは、高速で読み出せる外周側の記憶領域に記憶させ、テキストデータは、内周側の記憶領域に記憶させることにより、データをダウンロードしながら記憶すると同時に、記憶されたデータを読み出すことができ、しかも、データサイズが大きい動画像データおよび静止画像データ等でも、中断することなくデータを配信することができる。
【００２６】
また、本発明の記憶装置は、前記記憶位置設定手段は、入力された画像データを所定の記憶領域よりも外周側の前記記憶領域内で前記記憶位置を設定するようにしたことを特徴とする構成を有している。
【００２７】
この構成により、記憶位置設定手段は、入力された画像データを所定の記憶領域よりも外周側の記憶領域内で記憶位置を設定するので、例えば、動画像データおよび静止画像データ等は、高速で読み出せる外周側の記憶領域に記憶させ、画像データ以外のデータは、内周側の記憶領域に記憶させることにより、データをダウンロードしながら記憶すると同時に、記憶されたデータを読み出すことができ、しかも、データサイズが大きいデータでも、中断することなくデータを配信することができる。
【００２８】
また、本発明の記憶装置は、分割された複数の前記記憶領域の記憶容量を変更する記憶容量変更手段を備えたことを特徴とする構成を有している。
【００２９】
この構成により、例えば、動画像データを記憶する記憶領域の空き容量を越えるデータサイズの動画像データが入力された場合、記憶容量変更手段は、動画像データを記憶する記憶領域の記憶容量を変更するので、動画像データを高速で読み出せる外周側の記憶領域に記憶させることができる。
【００３０】
本発明の情報配信装置は、データを記憶する記憶装置と、記憶装置におけるデータの記憶位置を設定する記憶位置設定手段と、前記記憶装置に記憶するデータを入力するデータ入力手段と、前記記憶装置に記憶されたデータを読み出すデータ読出手段と、前記データ読出手段によって読み出されたデータを配信するデータ配信手段とを備えたことを特徴とする構成を有している。
【００３１】
この構成により、記憶位置設定手段は、入力されたデータのデータサイズに応じてデータを記憶する記憶媒体の記憶位置を設定するので、データサイズが大きいデータは、高速で読み出せる記憶位置に記憶させ、データサイズが小さいデータは、高速で読み出せる記憶位置以外の記憶位置に記憶させることにより、データをダウンロードしながら記憶すると同時に、記憶されたデータを読み出すことができ、しかも、データサイズが大きいデータでも、中断することなくデータを配信することができる。
【００３２】
本発明の情報配信システムは、情報を配信する情報配信装置と、データのデータサイズおよび種類の少なくとも一方に基づき、前記データを識別して前記情報配信装置に送信する送信装置とを備えたことを特徴とする構成を有している。
【００３３】
この構成により、送信装置は、データのデータサイズおよび種類の少なくとも一方に基づき、データを識別して情報配信装置に送信するので、情報配信装置に備えられた記憶位置設定手段は、データのデータサイズおよび種類を容易に判別することができる。
【００３４】
本発明の記憶方法は、入力されたデータのデータサイズが閾値以上か否かを判断し、前記データサイズが閾値以上のとき、記憶媒体の所定の記憶位置よりも外周側に前記データを記憶し、前記データサイズが閾値未満のとき、前記記憶媒体の所定の記憶位置よりも内周側に前記データを記憶する記憶方法を有している。
【００３５】
この方法により、データサイズが閾値以上のとき、記憶媒体の所定の記憶位置よりも外周側にデータが記憶され、データサイズが閾値未満のとき、記憶媒体の所定の記憶位置よりも内周側にデータが記憶されることとなる。
【００３６】
【発明の実施の形態】
以下、本発明の実施の形態について、図面を参照して説明する。
【００３７】
（第１の実施の形態）
【００３８】
まず、本発明の第１の実施の形態の情報配信装置の構成について説明する。
【００３９】
図１に示すように、本実施の形態の情報配信装置１０は、データを入力するデータ入力部１１と、プログラムを実行し、所定の処理を行うＣＰＵ１２と、プログラムを記憶するプログラム記憶メモリ１３と、プログラムの実行中にデータを一時保存する作業用メモリ１４と、データ入力部１１によって入力されたデータを記憶する磁気記憶装置１５と、磁気記憶装置１５の動作を管理する磁気記憶装置管理部１６と、データを配信するデータ配信部１７とを備えている。
【００４０】
磁気記憶装置１５は、データの入出力を行うインターフェース部１５ａと、データの転送を制御するデータ転送制御部１５ｂと、データの書き込みおよび読出を行う磁気ヘッド１５ｃと、データを記憶する磁気ディスク１５ｄとを備えている。なお、磁気記憶装置１５は、例えば、ＨＤＤを構成している。
【００４１】
磁気記憶装置管理部１６は、磁気記憶装置１５におけるデータの書き込みおよび読み出しを管理するデータ書込読出管理部１６ａと、磁気ヘッド１５ｃが磁気ディスク１５ｄにデータを書き込むことによってデータが記憶されるデータ記憶位置をデータ容量に応じて設定するデータ記憶位置設定部１６ｂとを備えている。
【００４２】
データ入力部１１は、例えば、インターネットと通信を行う通信制御ユニットによって構成されている。データ入力部１１は、例えば、情報管理センタから、ＨＴＭＬ（Ｈｙｐｅｒ  Ｔｅｘｔ  Ｍａｒｋｕｐ  Ｌａｎｇｕａｇｅ）仕様の文書データ、動画像データ、静止画像データ、音響データ、テキストデータ等を含むコンテンツ、およびコンテンツを配信する配信スケジュールのデータ等をダウンロードするようになっている。
【００４３】
データ入力部１１が入力するデータの具体例を挙げれば、ＭＰＥＧ（Ｍｏｖｉｎｇ  Ｐｉｃｔｕｒｅ  Ｅｘｐｅｒｔｓ  Ｇｒｏｕｐ）によって規格化されたＭＰＥＧ２フォーマットの動画像データ、ＪＰＥＧ（Ｊｏｉｎｔ  Ｐｈｏｔｏｇｒａｐｈｉｃ  Ｅｘｐｅｒｔｓ  Ｇｒｏｕｐ）によって規格化された画像圧縮方式により圧縮された静止画像データ、ＢＭＰ（Ｂｉｔｍａｐ：ビットマップ）ファイルフォーマットによる静止画像データ、ＷＡＶＥ形式およびＭＰＥＧ２Ｌａｙｅｒ２の音響データ等がある。なお、データ入力部１１が入力するデータは、インターネットのウェブサーバから配信されるコンテンツのデータに限定されるものではない。例えば、ビデオカメラ、マイクロホン、スキャナ等をデータ入力部１１に接続し、画像データおよび音響データ等を入力するようにしてもよい。
【００４４】
ＣＰＵ１２は、オペレーティングシステムのプログラムおよびアプリケーションプログラム等を実行し、所定の処理を行うようになっている。
【００４５】
プログラム記憶メモリ１３は、ＲＡＭまたはＲＯＭ等によって構成され、例えば、情報配信装置１０における基本的な入出力処理を制御するＢＩＯＳ（Ｂａｓｉｃ  Ｉｎｐｕｔ  Ｏｕｔｐｕｔ  Ｓｙｓｔｅｍ）のプログラム、オペレーティングシステムのプログラム、および所定の処理を行うアプリケーションプログラム等を記憶するようになっている。
【００４６】
作業用メモリ１４は、例えば、アプリケーションプログラムの実行中に一時的に生成される作業用ファイルを記憶するようになっている。
【００４７】
磁気記憶装置１５のインターフェース部１５ａは、例えば、ＩＤＥ（Ｉｎｔｅｇｒａｔｅｄ  Ｄｒｉｖｅ  Ｅｌｅｃｔｒｏｎｉｃｓ）規格またはＳＣＳＩ（Ｓｍａｌｌ  Ｃｏｍｐｕｔｅｒ  Ｓｙｓｔｅｍ  Ｉｎｔｅｒｆａｃｅ）規格等に基づいてデータの入出力を行うようになっている。また、データ転送制御部１５ｂは、インターフェース部１５ａと磁気ヘッド１５ｃとの間におけるデータの転送制御および図示しないキャッシュメモリにデータを一時的に記憶する制御等を行うようになっている。
【００４８】
磁気ヘッド１５ｃは、データ転送制御部１５ｂからの電気信号のデータを磁気信号のデータに電磁変換して磁気ディスク１５ｄに書き込み、また、磁気ディスク１５ｄに記憶された磁気信号のデータを読み出し、電気信号のデータに電磁変換した後、データ転送制御部１５ｂに出力するようになっている。
【００４９】
磁気ディスク１５ｄは、例えば、直径が３．５インチのアルミニウム合金またはガラス等の材質で作製されたディスクの両表面に磁性体が薄く塗布された構成を有している。また、磁気ディスク１５ｄは、図示しないスピンドルモータによって高速回転され、磁気ヘッド１５ｃによって磁性体で構成された記憶面にデータが書き込まれ、書き込まれたデータを保持するようになっている。記憶面は同心円状のトラックに分割され、このトラックはデータの書き込みおよび読み出しの最小単位であるセクタから構成されている。
【００５０】
磁気記憶装置管理部１６は、ＣＰＵ、ＲＡＭ、ＲＯＭ等によって構成され、例えば、ＲＯＭに記憶された磁気記憶装置１５の動作を制御するプログラムによって、磁気記憶装置１５におけるデータの書き込みおよび読み出し、データ容量に応じてデータの記憶位置の設定等を行うようになっている。ここで、データの記憶位置の設定とは、磁気ディスク１５ｄにおいてデータを記憶するトラック位置を設定することをいう。なお、磁気記憶装置１５の動作を制御するプログラムは、プログラム記憶メモリ１３に記憶する構成としてもよい。また、ＢＩＯＳのプログラムによって、データ容量に応じてデータの記憶位置を設定する構成としてもよい。
【００５１】
データ配信部１７は、例えば、画像の表示および音響の出力等を行う映像端末装置と通信する通信制御ユニットにより構成されている。なお、データ配信部１７は、ネットワークと通信し、ネットワークに画像データおよび音響データ等を配信する構成としてもよい。
【００５２】
なお、データ入力部１１およびデータ配信部１７は、それぞれ、データ入力手段およびデータ配信手段を構成している。また、磁気記憶装置管理部１６は、記憶位置設定手段およびデータ読出手段を構成している。
【００５３】
次に、本実施の形態の情報配信装置の動作について、図２から図４までを参照して説明する。
【００５４】
まず、データの記憶ステップについて、図２を参照して説明する。
【００５５】
図２において、まず、データ入力部１１によって、動画像データ、静止画像データ、音響データ、テキストデータ等を含むコンテンツ、およびコンテンツを配信する配信スケジュールのデータ等が情報管理センタからダウンロードされ、入力される（ステップＳ２１）。なお、複数のデータがパッケージ化されて入力される場合は、データ入力部１１によって、パッケージが展開され、各データが取得される。次いで、データ書込読出管理部１６ａによって、入力されたデータのデータサイズが予め定められた閾値以上か否かがデータ毎に判断される（ステップＳ２２）。
【００５６】
ステップＳ２２において、入力されたデータのデータサイズが閾値以上と判断された場合は、データ記憶位置設定部１６ｂによって、磁気ディスク１５ｄに記憶されるトラックが磁気ディスク１５ｄの所定のトラックよりも外周側に設定される（ステップＳ２３）。一方、ステップＳ２２において、入力されたデータのデータサイズが閾値以上と判断されなかった場合は、データ記憶位置設定部１６ｂによって、磁気ディスク１５ｄに記憶されるトラックが磁気ディスク１５ｄの所定のトラックよりも内周側に設定される（ステップＳ２４）。
【００５７】
ここで、データ記憶位置設定部１６ｂによって設定される磁気ディスク１５ｄの記憶位置について、図３を参照して説明する。
【００５８】
図３において、磁気ディスク１５ｄには、予め定められた基準トラック３１が示されている。前述のステップＳ２２において、入力されたデータのデータサイズが閾値以上と判断されたデータが記憶されるトラックは、データ記憶位置設定部１６ｂによって、基準トラック３１よりも外周側のトラック、例えば、トラック３２に設定される。
【００５９】
一方、前述のステップＳ２２において、入力されたデータのデータサイズが閾値以上と判断されなかったデータが記憶されるトラックは、データ記憶位置設定部１６ｂによって、基準トラック３１よりも内周側のトラック、例えば、トラック３３に設定される。
【００６０】
ここで、ＨＤＤにおける磁気ディスク１５ｄの直径を３．５インチ、回転数を５４００ｒｐｍとした場合を例に挙げれば、転送レートは、最外周のトラックでは２８７Ｍｂｐｓ、最内周のトラックでは１４２Ｍｂｐｓである。また、連続セクタ数は、内周から外周の方向に沿って多くなり、最外周のトラックでは１５５０個、最内周のトラックでは７７０個である。また、記憶容量は、最外周のトラックでは７７５ｋＢ、最内周のトラックでは３８５ｋＢである。
【００６１】
すなわち、内周から外周の方向に沿って、データの連続性が大きくなるので、内周側よりも外周側の方が、磁気ヘッド１５ｃのデータアクセス時間を減少させることができる。また、データの記憶および消去を繰り返すと、ＨＤＤのデータ記憶時の特質により、データがディスク上に分散して記憶されてしまう現象が発生するが、本実施の形態においては、データサイズが閾値以上のデータは常に外周側に記憶されるので、データの不連続性が減少し、磁気ヘッド１５ｃのデータアクセス時間を減少させることができる。
【００６２】
したがって、入力されたデータのデータサイズを閾値と比較し、例えば、４０ＭＢ以上のデータを外周側に記憶するよう記憶トラックを設定することによって、大きなデータサイズのデータを連続して記憶することができ、しかも、高速でデータを読み出すことができる。
【００６３】
引き続き、データ書込読出管理部１６ａによって、データ記憶位置設定部１６ｂで設定された情報が磁気記憶装置１５に出力され、磁気ヘッド１５ｃによって、データが所定のトラックに書き込まれる（ステップＳ２５）。
【００６４】
次に、データの再生ステップについて図４を参照して説明する。なお、この再生ステップは、前述のデータの記憶ステップとは別個に、並行して処理される。
【００６５】
まず、データ書込読出管理部１６ａによって、磁気記憶装置１５に記憶された配信スケジュールのデータが読み出される（ステップＳ２６）。この配信スケジュールのデータは、コンテンツを配信する時刻および配信するコンテンツのデータをリストアップしたデータリスト含んでいる。
【００６６】
引き続き、データ書込読出管理部１６ａによって、リストアップされたコンテンツのデータリストの情報が磁気記憶装置１５に出力され、磁気ヘッド１５ｃによって、磁気ディスク１５ｄに記憶されたコンテンツのデータが順次読み出される（ステップＳ２７）。そして、データ配信部１７によって、コンテンツのデータが、例えば、映像端末装置に配信される（ステップＳ２８）。
【００６７】
なお、磁気記憶装置１５は、ＨＤＤに限定するものではなく、例えば、光磁気型記憶装置、ＤＶＤ−ＲＡＭ等でもよい。また、磁気記憶装置１５が、磁気記憶装置管理部１６を備える構成としてもよい。
【００６８】
また、データを記憶する記憶媒体は、磁気ディスクに限定するものではなく、データを記憶する記憶位置によって本実施の形態と同様の効果が得られる記憶媒体であればよい。
【００６９】
なお、図５に示すように、情報を管理し、情報を送信する送信装置を備えた情報管理センタ４１と、インターネット４２に接続された少なくとも１つの本実施の形態の情報配信装置１０と、映像端末装置４３とによって情報配信システム４０を構築し、情報管理センタ４１で制作されたデータ配信スケジュールに基づき、情報配信装置１０が、情報管理センタ４１から取得したコンテンツを蓄積し、蓄積したコンテンツを映像端末装置４３に配信するように構成してもよい。
【００７０】
前述の送信装置は、データのデータサイズに基づき、例えば、データサイズに応じた拡張子を付加してデータを識別し、情報配信装置１０に送信するように構成してもよい。また、映像端末装置４３は、例えば、プラズマディスプレイおよび音響再生出力部等を備え、ウェッブサイトの情報、テレビ放送の映像、およびテキストによるテロップ等をディスプレイ上に同時に、または、別個に表示させ、音響を出力するように構成してもよい。
【００７１】
以上のように、本実施の形態の情報配信装置１０によれば、データ記憶位置設定部１６ｂは、入力されたデータのデータ容量に応じて磁気ディスク１５ｄにデータを記憶するトラック位置を設定する構成としたので、例えば、動画データのようにデータサイズが大きいコンテンツのデータをダウンロードしながら外周側のトラックに記憶すると同時に、記憶されたコンテンツのデータを読み出すことができ、しかも、データサイズが大きいコンテンツでも、中断することなくコンテンツを配信することができる。
【００７２】
（第２の実施の形態）
【００７３】
まず、本発明の第２の実施の形態の情報配信装置の構成について説明する。
【００７４】
図６において、本発明の第２の実施の形態の情報配信装置５０は、本発明の第１の実施の形態の情報配信装置１０の磁気記憶装置管理部１６が、さらに、記憶領域分割部１６ｃおよび記憶容量変更部１６ｄを備えた構成を有している。したがって、第１の実施の形態の情報配信装置１０の構成と同様の構成については、その説明を省略する。
【００７５】
記憶領域分割部１６ｃは、磁気ディスク１５ｄが有する記憶領域を複数の記憶領域に分割するようになっている。また、記憶容量変更部１６ｄは、記憶領域分割部１６ｃによって分割された記憶領域の記憶容量の取得および変更ができるようになっている。なお、データ書込読出管理部１６ａは、入力されたデータの種類を識別できるようになっている。また、記憶領域分割部１６ｃおよび記憶容量変更部１６ｄは、それぞれ、記憶領域分割手段および記憶容量変更手段を構成している。
【００７６】
次に、本実施の形態の情報配信装置５０の動作について説明する。なお、情報配信装置５０のデータの再生ステップについては、第１の実施の形態の情報配信装置１０の動作と同様なので説明を省略し、データの記憶ステップについて、図７および図８を参照して説明する。
【００７７】
図７において、まず、記憶領域分割部１６ｃによって、磁気ディスク１５ｄが有する記憶領域が複数の記憶領域に分割される（ステップＳ６１）。例えば、図８に示すように、記憶領域分割部１６ｃによって、磁気ディスク１５ｄの記憶領域は、動画像のデータを記憶する第１の記憶領域７１と、静止画像のデータを記憶する第２の記憶領域７２と、動画像のデータおよび静止画像のデータ以外のデータを記憶する第３の記憶領域７３とに分割される。なお、各記憶領域の容量は、例えば、全体の記憶容量が７０ＧＢのとき、第１の記憶領域７１の容量を４０ＧＢ、第２の記憶領域７２の容量を２０ＧＢ、第３の記憶領域７３の容量を１０ＧＢと配分すればよい。
【００７８】
引き続き、データ入力部１１によって、動画像データ、静止画像データ、音響データ、テキストデータ等を含むコンテンツ、このコンテンツを配信する配信スケジュールのデータ等が情報管理センタからダウンロードされ、入力される（ステップＳ６２）。次いで、データ書込読出管理部１６ａによって、入力されたデータが動画像のデータか否かが判断される（ステップＳ６３）。例えば、データ書込読出管理部１６ａは、データが含まれるファイルの拡張子を識別し、動画像のデータか否かを判断する。
【００７９】
ステップＳ６３において、入力されたデータが動画像のデータと判断された場合は、記憶容量変更部１６ｄによって、動画像のデータを記憶する第１の記憶領域７１の記憶容量が取得される（ステップＳ６４）。さらに、記憶容量変更部１６ｄによって、動画像のデータを記憶する第１の記憶領域７１の記憶容量が不足しているか否かが判断される（ステップＳ６５）。
【００８０】
ステップＳ６５において、動画像のデータを記憶する第１の記憶領域７１の記憶容量が不足していると判断された場合は、記憶容量変更部１６ｄによって、第１の記憶領域７１の記憶領域が拡大され（ステップＳ６６）、記憶容量が増加される。例えば、入力された動画像のデータのデータサイズが２ＧＢで、動画像のデータを記憶する第１の記憶領域７１の空き容量が１ＧＢのとき、記憶容量変更部１６ｄによって、第２の記憶領域７２の記憶領域が縮小され、第１の記憶領域７１の空き容量が、例えば、３ＧＢに増加される。
【００８１】
続いて、磁気ヘッド１５ｃによって、動画像のデータが第１の記憶領域７１に書き込まれる（ステップＳ６７）。なお、ステップＳ６５において、動画像のデータを記憶する第１の記憶領域７１の記憶容量が不足していると判断されなかった場合は、ステップＳ６７に進む。
【００８２】
前述のステップＳ６３において、入力されたデータが動画像のデータと判断されなかった場合は、磁気ヘッド１５ｃによって、第１の記憶領域７１より内周側の記憶領域に記憶される。例えば、静止画像のデータの場合は、第２の記憶領域７２に記憶され、テキストデータの場合は、第３の記憶領域７３に記憶される。
【００８３】
なお、磁気ディスク１５ｄに記憶されたデータのデータ名、データサイズ、記憶位置、記憶日時等を管理する管理情報は、磁気ヘッド１５ｃによって頻繁にアクセスされ、書き込みおよび読み出しが行われるので、例えば、前述の第１の記憶領域７１より外側に管理情報を記憶するよう記憶領域を設け、短時間で管理情報にアクセスできるように構成してもよい。
【００８４】
また、前述の図５に示された情報管理センタ４１が有する送信装置は、データの種類に基づき、例えば、データの種類に応じた拡張子を付加してデータを識別し、情報配信装置１０に送信するように構成してもよい。
【００８５】
以上のように、本実施の形態の情報配信装置５０によれば、記憶領域分割部１６ｃは、磁気ディスク１５ｄが有する記憶領域を複数の記憶領域に分割し、記憶容量変更部１６ｄは、記憶領域分割部１６ｃによって分割された記憶領域の記憶容量の取得および変更を行う構成としたので、例えば、動画像データのようにデータサイズが大きいコンテンツのデータをダウンロードしながら外周側の記憶領域のトラックに記憶すると同時に、記憶されたコンテンツのデータを読み出すことができ、しかも、データサイズが大きいコンテンツでも、中断することなくコンテンツを配信することができる。
【００８６】
【発明の効果】
以上説明したように、本発明によれば、データをダウンロードしながら記憶すると同時に、記憶されたデータを読み出すことができ、しかも、データサイズが大きいデータでも、中断することなくデータを配信することができる情報配信装置を提供することができる。
【図面の簡単な説明】
【図１】本発明の第１の実施の形態の情報配信装置のブロック図
【図２】本発明の第１の実施の形態の情報配信装置の記憶ステップのフローチャート
【図３】磁気ディスクにおける外周側トラックおよび内周側トラックの説明図
【図４】本発明の第１の実施の形態の情報配信装置の再生ステップのフローチャート
【図５】情報配信システムの一例を示す図
【図６】本発明の第２の実施の形態の情報配信装置のブロック図
【図７】本発明の第２の実施の形態の情報配信装置の記憶ステップのフローチャート
【図８】磁気ディスクにおける記憶領域の分割例を示す図
【図９】従来の情報配信装置のブロック図
【図１０】磁気ディスクに分散されて記憶されたデータを示す図
【符号の説明】
１０、５０  情報配信装置
１１  データ入力部
１２  ＣＰＵ
１３  プログラム記憶メモリ
１４  作業用メモリ
１５  磁気記憶装置
１５ａ  インターフェース部
１５ｂ  データ転送制御部
１５ｃ  磁気ヘッド
１５ｄ  磁気ディスク
１６  磁気記憶装置管理部
１６ａ  データ書込読出管理部
１６ｂ  データ記憶位置設定部
１６ｃ  記憶領域分割部
１６ｄ  記憶容量変更部
１７  データ配信部
３１  基準トラック
３２、３３  トラック
４０  情報配信システム
４１  情報管理センタ
４２  インターネット
４３  映像端末装置
７１  第１の記憶領域
７２  第２の記憶領域
７３  第３の記憶領域
【図１】
2004303348.tif 000003
【図２】
2004303348.tif 000004
【図３】
2004303348.tif 000005
【図４】
2004303348.tif 000006
【図５】
2004303348.tif 000007
【図６】
2004303348.tif 000008
【図７】
2004303348.tif 000009
【図８】
2004303348.tif 000010
【図９】
2004303348.tif 000011
【図１０】
2004303348.tif 000012